(57)【要約】【課題】入退場者に身長差があっても、入退場者が身に付けたＲＦＩＤタグに記録された情報を、ＲＦＩＤスキャナを用いて非接触で確実に読み取る装置を提供する。【解決手段】入退場者２ａ，２ｂが身に付けたＲＦＩＤタグ３ａ，３ｂに記録された情報を読み取るためのＲＦＩＤスキャナ１を、その読取範囲１０内をＲＦＩＤタグが通過するように入退場口に設置する。ＲＦＩＤスキャナ１は、指向性のあるアンテナを有し、その読取範囲１０が入退場口を上下方向に斜めに横切るようにアンテナ面１ａを傾斜して設置する。ＲＦＩＤスキャナ１は、アンテナ面の傾斜角度を調整可能な設置手段を用いて設置する。【選択図】      図１
2004295599.tif 000002
【特許請求の範囲】
【請求項１】
入退場者が身に付けたＲＦＩＤタグに記録された情報を読み取るＲＦＩＤスキャナが、その読取範囲内を前記ＲＦＩＤタグが通過するように入退場口に設置してあり、
前記ＲＦＩＤスキャナは、指向性のあるアンテナを有し、前記情報の読取範囲が前記入退場口を上下方向に斜めに横切るようにアンテナ面が傾斜して設置してある
ことを特徴とするＲＦＩＤタグの読取装置。
【請求項２】
請求項１において、前記ＲＦＩＤスキャナは、前記アンテナ面の傾斜角度を調整可能に設置されていることを特徴とするＲＦＩＤタグの読取装置。
【発明の詳細な説明】
【０００１】
【発明の属する技術分野】
食品工場や医薬品工場やＩＣ工場等の入退場を管理するために、入退場者が身に付けたＲＦＩＤタグに記録された情報を、読取器（ＲＦＩＤスキャナ）を用いて非接触で読み取る装置に関するものである。
【０００２】
【従来の技術】
入退場の管理をする場合、従来は、入退場口にＲＦＩＤスキャナが設けてあり、そこから発信され入退場口を横切るマイクロ波電力を受けて、入退場者の携帯するＲＦＩＤタグのＩＣチップに内蔵された送受信回路が作動し、ＲＦＩＤタグのデータをＲＦＩＤスキャナが受信することによりＲＦＩＤタグのデータに基づいて入退場者を管理するシステムが用いられていた（特許文献１）。
【０００３】
【特許文献１】
特開平６−１７６２７６号公報（２頁右欄〜３頁左欄、図１・図２）
【０００４】
【発明が解決しようとする課題】
上記従来のシステムに適用されていたＲＦＩＤスキャナでは、図４に示すとおり、マイクロ波帯の電波を利用し、内蔵した指向性の高いアンテナの読取範囲が壁面と直交するようにＲＦＩＤスキャナＳを壁面に設置していた。このＲＦＩＤスキャナＳは、読取距離ａが水平方向に長いので、例えば、２人の人Ｐａ，Ｐｂが同時に読取距離ａ内に入ることが可能であるが、垂直方向の読取幅ｂは狭いので、身長に差がある場合、背の低い人Ｐａは直立姿勢のままで身に付けた非接触カード（ＲＦＩＤタグ）Ｃａが読取範囲内に入って正しく読み取られる。しかし、背の高い人Ｐｂは、直立姿勢では身に付けた非接触カード（ＲＦＩＤタグ）Ｃｂが読取領域から外れて、身を低めて非接触カードＣｂが読取幅ｂ内に入るようにする必要があった。  そこで、本発明の目的は、身長に対応して身を低めたり、前傾姿勢をとることによってＲＦＩＤスキャナの読取範囲内に適合させるような煩わしさを排除することにある。そして、身長に差があっても、身に付けたＲＦＩＤタグに記憶された情報を、直立姿勢のままでＲＦＩＤスキャナによって正しい読み取りが可能なＲＦＩＤタグの読取装置を提供する。
【０００５】
【課題を解決するための手段】
本発明のＲＦＩＤタグの読取装置は、入退場者が身に付けたＲＦＩＤタグに記録された情報を読み取るＲＦＩＤスキャナが、その読取範囲内を前記ＲＦＩＤタグが通過するように入退場口に設置してあり、前記ＲＦＩＤスキャナは、指向性のあるアンテナを有し、前記情報の読取範囲が前記入退場口を上下方向に斜めに横切るようにアンテナ面が傾斜して設置してあることを特徴としている。この構成によると、指向性のあるアンテナを有するＲＦＩＤスキャナを用い、アンテナ面を傾斜して設置しているので、身長に対応して身を低めたり、前傾姿勢をとる等の煩わしさを必要としない。また、前記ＲＦＩＤスキャナは、前記アンテナ面の傾斜角度を調整可能に設置されていることが好ましい。この構成によると、アンテナ面の傾斜角度を調整することにより、ＲＦＩＤタグが常に読取範囲内に入り、これにより常に正しい読み取りができるものとなる。
【０００６】
【発明の実施の形態】
以下、図面を参照して、本発明を食品工場や医薬品工場やＩＣ工場等の入退場管理に適用した実施の形態について説明する。図１において、入退場口の床面には、マイクロ波方式等の指向性のあるアンテナを有するＲＦＩＤスキャナ１が傾斜して設置してある。ＲＦＩＤスキャナ１はＲＦＩＤタグとの間を２．４５ＧＨｚ帯のマイクロ波によりデータの送受信を行うものであり、外来ノイズによる通信の影響が少なく、電池レスでも通信距離が０〜１．５ｍと長いという利点がある。このため、位置関係が厳密に規制できない用途、例えば通過する人との間でデータを送受信する用途に用いるには、極めて好適である。このＲＦＩＤスキャナ１では、０〜１．５ｍの長い読取距離ａがあり読取幅ｂもかなり幅広のものであるので、このＲＦＩＤスキャナ１のアンテナ面１ａを傾斜して設置することによって、情報の読取範囲１０は、アンテナ面１ａに垂直な斜め上方に向かって長い読取距離ａと、この読取距離ａの方向に直交する方向にかなり幅広の読取幅ｂとからなり、入退場口を上下方向に斜めに横切る読取範囲１０が構成できる。
【０００７】
入退場する人が身に付けるＲＦＩＤタグは、情報を記憶するメモリ等のＩＣチップと情報をマイクロ波によってＲＦＩＤスキャナ１に送受信するアンテナとが回路基板上に形成され、電池と共に封止材にて封止されてなるものである。ＲＦＩＤスキャナ１により受信されたＲＦＩＤタグの情報は、不図示の管理用パソコン等に送信され、入退場を許可するかどうかが管理される。また管理用パソコンで作られた新たな情報は、ＲＦＩＤスキャナ１からＲＦＩＤタグに送信されることにより、ＲＦＩＤタグのメモリ内の情報が書き換えられる。
【０００８】
図１に示すように、入退場口を通過する人２ａ，２ｂは、前記のようなＲＦＩＤタグ３ａ，３ｂを、入退場する際に着用する各自の衣服の胸部などに固定状態に常に身に付けているものである。ＲＦＩＤタグ３ａ，３ｂを身に付けた人２ａ，２ｂが入退場口に接近すると、身長にかかわりなく各自が身に付けている胸部のＲＦＩＤタグ３ａ，３ｂは、人が手でかざしたり姿勢を変えたりすることなくＲＦＩＤスキャナ１の読取範囲１０内に入り、ＲＦＩＤタグ３ａ，３ｂの情報がＲＦＩＤスキャナ１により読み取られる。ＲＦＩＤタグ３ａ，３ｂの情報が読み取られると、ＲＦＩＤスキャナ１を制御する端末である管理用パソコンが、入場又は退場が認められている人２ａ，２ｂであるか否かを判断し、入場又は退場を許してよいと認識した場合に、ゲート等を動かして入退場口を開放可能にする。これにより人２ａ，２ｂは入退場することができる。
【０００９】
図２に示す形態では、先と同様なＲＦＩＤスキャナ１１が、入退場口に入退場者の背丈よりも高い位置に、傾斜して設置してある。これによって、このＲＦＩＤスキャナ１１の読取範囲１０は、ＲＦＩＤスキャナ１１のアンテナ面１１ａに垂直な斜め下方に向かって長い読取距離ａと、この読取距離ａの方向に直交する方向のかなり幅広の読取幅ｂとからなる読取範囲１０となる。この場合には、ＲＦＩＤタグ１３ａ，１３ｂは入退場する人１２ａ，１２ｂが着用する帽子等に、固定状態に常に身に付けているものである。人が入退場口に接近すると、身長にかかわりなく各自が帽子等の上部に身に付けているＲＦＩＤタグ１３ａ，１３ｂは、人が手でかざしたり姿勢を変えたりすることなくＲＦＩＤスキャナ１１の読取範囲１０内に入り、ＲＦＩＤタグ１３ａ，１３ｂの情報がＲＦＩＤスキャナ１１により読み取られる。ＲＦＩＤスキャナ１３ａ、１３ｂの情報が読み取られると、ＲＦＩＤスキャナ１１を制御する端末が、入場又は退場が認められている人１２ａ，１２ｂであると認識し、入退場口を開放可能にするので、入退場することができる。
【００１０】
図３はＲＦＩＤスキャナ１，１１を傾斜して設置するための、傾斜角度を調整可能にする設置手段４の一例を示している。この設置手段４は、ＲＦＩＤスキャナ１，１１のアンテナ面１ａ，１１ａの背面側に固定的に設けられた平面コ字状の取付金具５と、壁面Ｗに固定的に設けられた平面コ字状の取付台６とからなり、取付金具５を取付台６に中心軸７により回動可能に連結したものである。取付台６には対向して立設する両取付片６ａに中心軸７を中心とする円弧状の透孔６ｂが形成してある。この両取付片６ａは取付金具５の両側面に対向させてある。取付金具５には、ＲＦＩＤスキャナ１，１１のアンテナ面１ａ，１１ａに平行に、ボルト８が脱出不能に取り付けてあり、ボルト８の両端は両取付片６ａの両透孔６ｂを貫通して突出している。ボルト８の両端の突出端にナット８ａをねじ合わせることにより、取付金具５と取付台６とを連結固定している。ナット８ａを緩めることにより取付金具５と取付片６ａとの間に僅かな隙間ができるので、ＲＦＩＤスキャナ１，１１は中心軸７を中心に回動させることができ、この回動によりボルト８は透孔６ｂ内を移動し、ＲＦＩＤスキャナのアンテナ面１ａ，１１ａが所望の傾斜角度になったところでナット８ａを締め付ける。このようにしてＲＦＩＤスキャナ１，１１のアンテナ面１ａ，１１ａを所望の傾斜角度をもって設置させることができる。
【００１１】
ＲＦＩＤスキャナ１，１１を設置するに際して、このようにしてその傾斜角度を調整することにより、入退場口を上下方向に斜めに横切る読取範囲１０を任意に調整できるので、人が入退場口を通常通過する範囲にＲＦＩＤスキャナ１，１１の読取範囲１０が一致するようにすることができる。このように調整すれば、読み取りのミスが発生することがなく、入退場管理を常に正確に行なうことができる。
【００１２】
【発明の効果】
このように本発明によれば、ＲＦＩＤスキャナがアンテナ面を傾斜させてその読取範囲を入退場口を上下方向に斜めに横切るように設置されているので、入退場口を通過する人の身長に差があっても、身に付けたＲＦＩＤタグに記憶された情報を、直立姿勢のままでＲＦＩＤスキャナによって正しく読み取ることができるものとなる。
【図面の簡単な説明】
【図１】本発明の実施の一形態を示す概略説明図である。
【図２】本発明の実施の他の形態を示す概略説明図である。
【図３】ＲＦＩＤスキャナの設置手段の一例を示す側面図である。
【図４】従来の一形態を示す概略説明図である。
【符号の説明】
１，１１                      ＲＦＩＤスキャナ
２ａ，２ｂ，１２ａ，１２ｂ    人
３ａ，３ｂ，１３ａ，１３ｂ    ＲＦＩＤタグ
４                            設置手段
【図１】
2004295599.tif 000003
【図２】
2004295599.tif 000004
【図３】
2004295599.tif 000005
【図４】
2004295599.tif 000006